(57)【要約】【課題】視覚的に興趣をより向上できる球誘導部材およびその球誘導部材を備えた遊技機を提供する。【解決手段】クルーン面１２に遊技球を導くための複数の誘導路（第１〜第４誘導路１３１〜１３４）を多段に配置する。第３誘導路１３３に案内された遊技球は、最下点１９Ｌを中心にして前後に揺動した後、窪み２０から第４誘導路１３４に落下する。第４誘導路１３４上に落下した遊技球は、徐々に加速されながら後方に転がり、突起２８、第１傾斜面２７１、第２傾斜面２７２の働きによって、クルーン面１２に対して接線方向に滑らかに導かれる。【効果】入球口６Ｌ，６Ｃ，６Ｒに遊技球が入るまでの時間を長くすることができる。遊技球の速度に変化を与えることができる。【選択図】            図３
2004254959.tif 000002
【特許請求の範囲】
【請求項１】
遊技球を導入して遊技を行う遊技機に適用される球誘導部材であって、
中央部が低くなるように傾斜しており、その中央部に遊技球が入球可能な複数の入球口が形成されたクルーン面と、
上記クルーン面の周囲に設けられ、遊技球を上記クルーン面に導くために多段に配置された複数の誘導路とを含むことを特徴とする球誘導部材。
【請求項２】
上記複数の誘導路は、
遊技球を揺動させて滞留させるための起伏を有する揺動路と、
上記揺動路からの遊技球を、上記クルーン面に向けて勢いをつけて案内するための案内路とを含むことを特徴とする請求項１記載の球誘導部材。
【請求項３】
上記案内路からの遊技球を、上記クルーン面に対して接線方向に導くための突起を含むことを特徴とする請求項２記載の球誘導部材。
【請求項４】
上記複数の誘導路のうち隣接する少なくとも２つの誘導路は、それぞれ起伏を有しており、起伏の高低のピークが上下方向に重ならないようにずらして配置されていることを特徴とする請求項１〜３のいずれかに記載の球誘導部材。
【請求項５】
遊技球を遊技領域に導入して遊技を行う遊技機であって、
請求項１〜４のいずれかに記載の球誘導部材を備え、
上記球誘導部材により、遊技球を上記遊技領域の所定位置に導くことができるようにしたことを特徴とする遊技機。
【発明の詳細な説明】
【０００１】
【発明の属する技術分野】
この発明は、パチンコ機などの遊技機に関し、特に、遊技機に適用される球誘導部材に関する。
【０００２】
【従来の技術】
従来から、遊技球を導入して遊技を行うパチンコ機などの遊技機に適用され、遊技球の流れに変化を与えるための球誘導部材（ステージやクルーンなど）が知られている。
球誘導部材の一例としてのステージでは、たとえば、その表面に形成された起伏の最下点を中心にして遊技球が反復して転がる（揺動する）ことにより、遊技球が一定時間滞留するようになっている（たとえば、特許文献１参照）。
【０００３】
球誘導部材の一例としてのクルーンでは、たとえば、中央部が低くなるように緩やかに傾斜したクルーン面に案内された遊技球が、一定時間だけクルーン面上を周方向に転がった後、複数の入球口のいずれかに入るようになっている（たとえば、特許文献２および３参照）。
ステージやクルーンなどの球誘導部材を用いれば、遊技球を一定時間だけ滞留させて、遊技球の流れに変化を与えることができるので、視覚的に興趣が向上する。
【０００４】
しかしながら、通常、球誘導部材は奥行きや幅の狭い空間に配置する必要があるため大型化が困難である。したがって、上記従来技術のような球誘導部材では、球誘導部材上での遊技球の滞留時間に限界があり、さらに滞留時間を長くして興趣を向上することが困難であった。
そこで、最近では、起伏面を多段に配置することにより遊技球の滞留時間をさらに長くしたステージが知られているが（たとえば、特許文献４参照）、このようなステージでは、厚さが増して、高さの低い空間に配置することが困難となる。
【０００５】
【特許文献１】
特開２００１−１５７７４２号公報
【特許文献２】
特開平７−１７１２４８号公報
【特許文献３】
特開平９−１０３９３号公報
【特許文献４】
特許第３３１９４４４号公報
【０００６】
【発明が解決しようとする課題】
この発明は、かかる背景のもとでなされたもので、視覚的に興趣をより向上できる球誘導部材およびその球誘導部材を備えた遊技機を提供することを目的とする。
また、この発明の他の目的は、より狭い空間に配置することができる球誘導部材およびその球誘導部材を備えた遊技機を提供することである。
【０００７】
【課題を解決するための手段および発明の効果】
上記目的を達成するための請求項１記載の発明は、遊技球を導入して遊技を行う遊技機に適用される球誘導部材（１）であって、中央部が低くなるように傾斜しており、その中央部に遊技球が入球可能な複数の入球口（６Ｌ〜６Ｒ）が形成されたクルーン面（１２）と、上記クルーン面の周囲に設けられ、遊技球を上記クルーン面に導くために多段に配置された複数の誘導路（１３１〜１３４）とを含むことを特徴とする球誘導部材である。
【０００８】
なお、括弧内の英数字は、後述の実施形態における対応構成要素などを表す。以下、この項において同じ。
この構成によれば、遊技球がクルーン面の入球口に入るまでの間に、多段に配置された複数の誘導路上を転がるので、入球口に遊技球が入るまでの時間を長くすることができるとともに、遊技球の動きに多様性を持たせることができる。したがって、視覚的により興趣を向上できる。
【０００９】
なお、本発明におけるクルーン面には、円形状のものの他、長円形状のものや、遊技球が回転運動可能な多角形状のものが含まれる。
請求項２記載の発明は、上記複数の誘導路（１３１〜１３４）は、遊技球を揺動させて滞留させるための起伏を有する揺動路（１３３）と、上記揺動路からの遊技球を、上記クルーン面（１２）に向けて勢いをつけて案内するための案内路（１３４）とを含むことを特徴とする請求項１記載の球誘導部材（１）である。
【００１０】
この構成によれば、揺動路で遊技球を揺動させて、遊技球が転がる速度を遅くした後、案内路で勢いをつけてクルーン面に案内することにより、遊技球の速度に変化を与えることができる。したがって、視覚的にさらに興趣を向上できる。請求項３記載の発明は、上記案内路（１３４）からの遊技球を、上記クルーン面（１２）に対して接線方向に導くための突起（２８）を含むことを特徴とする請求項２記載の球誘導部材（１）である。
【００１１】
この構成によれば、クルーン面に対して接線方向に遊技球を案内して、一定時間だけクルーン面上を周方向に転がした後、複数の入球口のいずれかに入れることができる。したがって、入球口に遊技球が入るまでの時間を長くすることができるので、視覚的により興趣を向上できる。
上記案内路（１３４）は、上記クルーン面（１２）に向けて遊技球を滑らかに導くための傾斜面（２７１，２７２）を含むことが好ましい。
【００１２】
請求項４記載の発明は、上記複数の誘導路（１３１〜１３４）のうち隣接する少なくとも２つの誘導路は、それぞれ起伏を有しており、起伏の高低のピーク（極点）が上下方向に重ならないように（互いに上下に位置しないように）ずらして配置されていることを特徴とする請求項１〜３のいずれかに記載の球誘導部材（１）である。
この構成によれば、起伏の高低のピーク（最上点と最下点）が上下方向に重ならないようにずらして配置されているので、各誘導路の最上点と最下点とが上下方向に重なるように配置された従来の多段型の球誘導部材（ステージ）と比較して、球誘導部材の厚さを薄くすることができる。したがって、より狭い（高さの低い）空間に球誘導部材を配置することができる。
【００１３】
請求項５記載の発明は、遊技球を遊技領域（たとえば、遊技盤）に導入して遊技を行う遊技機であって、請求項１〜４のいずれかに記載の球誘導部材（１）を備え、上記球誘導部材により、遊技球を上記遊技領域の所定位置に導くことができるようにしたことを特徴とする遊技機である。
この構成によれば、請求項１〜４のいずれかに記載の発明と同様の効果を奏する球誘導部材を備えた遊技機を提供することができる。
【００１４】
特に、球誘導部材により、遊技球の入球に対して遊技者に有利な（多数個の賞球を獲得可能な）大当たり遊技を実行するか否かを決定するための大当たり抽選を実行する始動口や、遊技球の入球に対して予め定める個数の賞球を遊技者に付与する入賞口といった、遊技者に特典を付与するための所定の通過領域（所定位置）に遊技球を導くことができるので、遊技球の流れに遊技者の注目を集めることができる。したがって、視覚的に興趣をより向上できる遊技機を提供することができる。
【００１５】
【発明の実施の形態】
以下には、図面を参照して、この発明の実施形態について具体的に説明する。図１は、この発明の一実施形態に係る球誘導部材１を備えた表示装置２の外観構成を示す斜視図である。また、図２は、球誘導部材１を表示装置２から取り外した状態を示す分解斜視図である。ただし、図１および図２において、左下方向を前方、右上方向を後方として説明する。
【００１６】
図１および図２を参照して、この表示装置２は、たとえば、遊技球を遊技盤に向けて発射して遊技を行うパチンコ機に適用される。遊技盤には、たとえば、発射された遊技球が遊技盤の盤面に沿って落下する過程で入球可能な始動口が配置されていて、この始動口に遊技球が入った場合には、遊技者に有利な（多数個の賞球を獲得可能な）大当たり遊技を実行するか否かを決定するための大当たり抽選が実行される。
【００１７】
表示装置２には、大当たり抽選の結果を表示するために用いられるドラム表示器３が配置されている。このドラム表示器３は、たとえば略円筒状であって、その外周面には、複数種類の図柄（数字や絵柄など）が描かれている。ドラム表示器３は、たとえば、その前方側以外（上方側、下方側、後方側および端面側）がカバー４で覆われており、このカバー４によって軸線回りに回転可能に保持されている。
【００１８】
始動口に遊技球が入ると、ドラム表示器３が軸線回りに回転を開始し、所定時間経過後に停止する。ドラム表示器３の回転が停止すると、上記複数種類の図柄のうちいずれかの図柄が前方から視認可能となり、その図柄（停止図柄）などによって大当たり抽選の結果が大当たりであるか否かが遊技者に報知される。
ドラム表示器３の左右両側には、たとえば、遊技盤に沿って落下する遊技球を表示装置２内に導くための導入部材（左導入部材５Ｌと右導入部材５Ｒ）が配置されている。各導入部材５Ｌ，５Ｒは、表示装置２の前側上方から後側下方に向かって略Ｌ字状に湾曲した形状となっていて、その上端部には、前方に向かって開放する開口５１が形成されている。表示装置２がパチンコ機に取り付けられると、各導入部材５Ｌ，５Ｒの開口５１が遊技盤の盤面に臨んだ状態となり、遊技盤に沿って落下する遊技球を開口５１から導入部材５Ｌ，５Ｒ内に導いて、当該導入部材５Ｌ，５Ｒ内を通して表示装置２内の後側下方に案内することが可能となる。
【００１９】
ドラム表示器３の下方には、カバー４との間に一定の空間Ｓが形成されている（図２参照）。球誘導部材１は、たとえば上記空間Ｓ内に配置され、導入部材５Ｌ，５Ｒ内を通って表示装置２内に導かれた遊技球を、複数（たとえば、３つ）の入球口６Ｌ，６Ｃ，６Ｒのいずれかに誘導する役割を果たす。各入球口６Ｌ，６Ｃ，６Ｒの下方には、前後方向に延びる放出路７Ｌ，７Ｃ，７Ｒが形成されている。各放出路７Ｌ，７Ｃ，７Ｒの前端は開放されていて、球誘導部材１（表示装置２）がパチンコ機に取り付けられると、各放出路７Ｌ，７Ｃ，７Ｒの前端が遊技盤の盤面に臨んだ状態となる。
【００２０】
したがって、いずれかの入球口６Ｌ，６Ｃ，６Ｒに入った遊技球は、その入球口６Ｌ，６Ｃ，６Ｒに対応する放出路７Ｌ，７Ｃ，７Ｒを通って前方に導かれ、遊技盤の盤面に向かって放出されるようになっている。遊技盤には、たとえば、中央の放出路７Ｃの下方に始動口が配置されていて、中央の放出路７Ｃから遊技盤の盤面に落下する遊技球は、他の放出路７Ｌ，７Ｒから落下する遊技球よりも始動口に入りやすくなっている。
【００２１】
上記のように、表示装置２の左右両側の上方から開口５１に入った遊技球は、導入部材５Ｌ，５Ｒによって表示装置２内の下部に導かれた後、球誘導部材１に誘導されて、表示装置２の左右方向中央部の下方から遊技盤の盤面に戻される。このような構成によれば、遊技球がワープしたような感覚を遊技者に与えることができるので、遊技の興趣がより向上する。特に、入った入球口６Ｌ，６Ｃ，６Ｒによって遊技球が異なる放出口７Ｌ，７Ｃ，７Ｒに導かれ、いずれの放出口７Ｌ，７Ｃ，７Ｒから放出されるかによって遊技球の始動口への入りやすさが異なるので、遊技者はいずれの入球口６Ｌ，６Ｃ，６Ｒに遊技球が入るかに注目することとなり、さらに興趣が向上する。
【００２２】
球誘導部材１の下面には、たとえば、複数のＬＥＤ素子８が電気的に接続された基板９が取り付けられている。各ＬＥＤ素子８は、上方（球誘導部材１）に向かって光軸が延びるように配置されている。球誘導部材１は、たとえば、ポリカーボネイトなどの光透過性を有する材料で形成されていて、その下面には、複数の凹凸が形成されている。したがって、複数のＬＥＤ素子８を発光させた場合には、その照射光が球誘導部材１の下面の凹凸で乱反射し、球誘導部材１全体が明るく照らし出されるようになっている。これにより、視覚的に興趣をより向上できる。
【００２３】
球誘導部材１の左右両端部には、たとえば、前後方向に延びる突条１０が形成されており、カバー２の左右端面壁の内面下部には、各突条１０に対応する係合凹部１１が前後方向に延びている（図２参照）。球誘導部材１は、その突条１０が係合凹部１１内に沿うようにして、表示装置２の前方からドラム表示器３の下方の空間Ｓ内に挿入されることにより取り付けられる。
図３は、球誘導部材１の斜視図である。また、図４は、球誘導部材１の正面図である。ただし、図３に示す矢印は、当該球誘導部材１上を転がる遊技球の流れを示しており、高さの高い位置から低い位置へと延びるように記している。
【００２４】
図３および図４を参照して、球誘導部材１は、入球口６Ｌ，６Ｃ，６Ｒが形成された略円形のクルーン面１２と、遊技球をクルーン面１２に導くために多段に配置された複数の誘導路（たとえば、第１誘導路１３１、第２誘導路１３２、第３誘導路１３３、第４誘導路１３４の４つ）とを有している。
第１誘導路１３１は、たとえば、クルーン面１２の後方を左右に延びていて、前後方向に約１５ｍｍの幅を有している。通常、遊技球（パチンコ球）の直径は約１１ｍｍであって、第１誘導路１３１に沿って左右方向に遊技球が転がることができるようになっている。左導入部材５Ｌから表示装置２内に導かれた遊技球は、第１誘導路１３１の左端から球誘導部材１上に案内され、右導入部材５Ｒから表示装置２内に導かれた遊技球は、第１誘導路１３１の右端から球誘導部材１上に案内される。
【００２５】
第１誘導路１３１は、たとえば、左右方向に沿って起伏を有していて、左右方向略中央に最上点１４Ｈが形成されており、最上点１４Ｈと左端および右端との間の略中央にそれぞれ最下点１４Ｌが形成されている。したがって、各導入部材５Ｌ，５Ｒから第１誘導路１３１上に案内された遊技球は、その勢いによっては最上点１４Ｈを乗り越えるなどした後、いずれかの最下点１４Ｌを中心にして左右に反復して転がる（揺動する）ことにより、第１誘導路１３１上に一定時間滞留するようになっている。
【００２６】
各最下点１４Ｌの周囲には、たとえば、第２誘導路１３２側（前方）に向かって傾斜する窪み１５が形成されており、これらの窪み１５の近傍を除く第１誘導路１３１の前端には、遊技球が前方に転がり落ちるのを防止するためのリブ１６が立設されている。したがって、第１誘導路１３１に案内された遊技球は、いずれかの最下点１４Ｌを中心にして一定時間だけ揺動した後、窪み１５から第２誘導路１３２へと落下する。
【００２７】
第２誘導路１３２は、たとえば、クルーン面１２の左右両側にそれぞれ前後に延びていて、最も狭い部分（前端部）で左右方向に約１５ｍｍの幅を有している。第１誘導路１３１の窪み１５から前方に案内される遊技球は、その勢いによっては第３誘導路１３３に落下する場合もあるが、通常は第２誘導路１３２へと案内され、当該第２誘導路１３２に沿って前方に転がるようになっている。第２誘導路１３２は、たとえば、後方側が低くなるように緩やかに傾斜（たとえば、水平方向に対して３〜５°）しており、そのクルーン面１２側の端部には、前端から後端部にかけて、遊技球が第３誘導路１３３に転がり落ちるのを防止するためのリブ１７が立設されている。
【００２８】
したがって、第１誘導路１３１から第２誘導路１３２に案内され、当該第２誘導路１３２に沿って前方へと転がった遊技球は、通常は第２誘導路１３２に沿って後方へと転がり、後端部の最下点１８Ｌから第３誘導路１３３に案内される。ただし、第２誘導路１３２に案内された遊技球の勢いによっては、第２誘導路１３２の前端から遊技盤の盤面に落下する場合もある。
第３誘導路１３３は、たとえば、第１誘導路１３１および第２誘導路１３２のクルーン面１２側に隣接して延びる略半円環状の誘導路であって、最も狭い部分（前後方向中央部）で径方向に約１５ｍｍの幅を有している。第１誘導路１３１から直接第３誘導路１３３に落下した遊技球や、第２誘導路１３２から第３誘導路１３３に案内された遊技球は、その勢いによっては当該第３誘導路１３３の後端部から第４誘導路１３４に落下する場合もあるが、通常は第３誘導路１３３に沿って転がるようになっている。
【００２９】
第３誘導路１３３の左部および右部は、それぞれ前後方向に沿って起伏（たとえば、水平方向に対して３〜５°）を有していて、たとえば、第２誘導路１３２の最下点１８Ｌからの遊技球の落下点よりも後側に最上点１９Ｈが形成されており、前後方向の略中央に最下点１９Ｌが形成されている。したがって、第３誘導路１３３に案内された遊技球は、前方へと転がった後、通常は最下点１９Ｌを中心にして前後に揺動することにより、第３誘導路１３３上に一定時間滞留するようになっている。ただし、第３誘導路１３３に案内された遊技球の勢いによっては、第３誘導路１３３の前端から遊技盤の盤面に落下する場合もある。
【００３０】
各最下点１９Ｌの周囲には、たとえば、第４誘導路１３４側（クルーン面１２側）に向かって傾斜する窪み２０が形成されており、第３誘導路１３３の左部および右部の第４誘導路１３４側の端部には、各窪み２０の前後に、遊技球が第４誘導路１３４に転がり落ちるのを防止するためのリブ２１が立設されている。したがって、第３誘導路１３３に案内された遊技球は、第３誘導路１３３の左部および右部の外周を区画する壁面２２（第２誘導路１３２との段差部分の壁面）とリブ２０との間で、最下点１９Ｌを中心にして一定時間だけ前後に揺動した後、窪み２０から第４誘導路１３４へと落下する。
【００３１】
第４誘導路１３４は、たとえば、クルーン面１２の外周（第３誘導路１３３の内周）に隣接して延びる略円環状の誘導路であって、径方向に約１５ｍｍの幅を有している。第３誘導路１３３の後端部から第４誘導路１３４に落下した遊技球は、そのまま第４誘導路１３４の後端部からクルーン面１２に落下するが、第３誘導路１３３の窪み２０から第４誘導路１３４に案内された遊技球は、第４誘導路１３４に沿って転がるようになっている。
【００３２】
第４誘導路１３４の左部および右部のクルーン面１２側の端部には、遊技球がクルーン面１２に転がり落ちるのを防止するためのリブ２３が立設されている。したがって、第４誘導路１３４に案内された遊技球は、第４誘導路１３４の外周を区画する壁面２４（第３誘導路１３３との段差部分の壁面）とリブ２３との間を通って転がる。
第４誘導路１３４は、たとえば周方向に沿って起伏（たとえば、水平方向に対して３〜５°）を有していて、第３誘導路１３３の窪み２０（最下点１９Ｌ）からの遊技球の落下点よりも手前側に、最上点２５Ｈが形成されている。したがって、第３誘導路１３３の窪み２０から第４誘導路１３４に案内された遊技球は、通常は第４誘導路１３４に沿って後方側に転がるようになっているが、遊技球の勢いによっては、最上点２５Ｈを乗り越えて前方に転がる場合もある。
【００３３】
第４誘導路１３４の外周を区画する壁面２４の前端部には落下口２６が形成されており、この落下口２６により第４誘導路１３４の前端部が前方に開放されている。落下口２６は、遊技盤の盤面に臨んでいて、第４誘導路１３４の最上点２５Ｈを乗り越えた遊技球は、当該落下口２６から遊技盤に落下する場合がある。第４誘導路１３４の後端部には、たとえば、クルーン面１２に向かって低くなるように傾斜した第１傾斜面２７１が形成されており、この第１傾斜面２７１の左右両側には、第４誘導路１３４から第１傾斜面２７１に遊技球が滑らかに転がるようにするための第２傾斜面２７２が形成されている。さらに、第４誘導路１３４の外周を区画する壁面２４の後端部には、その左右方向中央部が前方に張り出した突起２８が形成されている。第４誘導路１３４上を後方側へと徐々に加速しながら（勢いをつけて）転がる遊技球は、突起２８、第１傾斜面２７１および第２傾斜面２７２の働きによって、クルーン面１２に対して接線方向に滑らかに導かれるようになっている。
【００３４】
クルーン面１２は、たとえば中央部が低くなるように緩やかに傾斜（たとえば、水平方向に対して３〜５°）しており、その中央部に３つの入球口６Ｌ，６Ｃ，６Ｒが形成されている。クルーン面１２の中央部へ向かう傾斜は緩やかであるので、第４誘導路１３４からクルーン面１２に対して接線方向に導かれた遊技球は、一定時間だけクルーン面１２上を周方向に転がった後、３つの入球口６Ｌ，６Ｃ，６Ｒのいずれかに入る。左の入球口６Ｌに入った遊技球は左の放出路７Ｌに導かれ、右の入球口６Ｒに入った遊技球は右の放出路７Ｒに導かれ、中央の入球口６Ｃに入った遊技球は中央の放出路７Ｃに導かれるようになっている。
【００３５】
この実施形態では、表示装置２内に導かれた遊技球がクルーン面１２の入球口６Ｌ，６Ｃ，６Ｒに入るまでの間に、多段に配置された複数の誘導路（第１誘導路１３１、第２誘導路１３２、第３誘導路１３３および第４誘導路１３４）上を転がるので、入球口６Ｌ，６Ｃ，６Ｒに遊技球が入るまでの時間を長くすることができるとともに、遊技球の動きに多様性を持たせることができる。したがって、視覚的により興趣を向上できる。
【００３６】
特に、第３誘導路１３３で遊技球を揺動させて、遊技球が転がる速度を遅くした後、第４誘導路１３４で勢いをつけてクルーン面１２に案内することにより、遊技球の速度に変化を与えることができる。したがって、視覚的にさらに興趣を向上できる。
また、この実施形態では、第２誘導路１３２の最下点１８Ｌと第３誘導路１３３の最上点１９Ｈとが上下方向に重ならないように（互いに上下に位置しないように）ずらして配置されており、また、第３誘導路１３３の最下点１９Ｌと第４誘導路１３４の最上点２５Ｈとが上下方向に重ならないようにずらして配置されている。したがって、各誘導路の最上点と最下点とが上下方向に重なるように配置された従来の多段型の球誘導部材（ステージ）と比較して、球誘導部材１の厚さを薄くすることができるので、より狭い（高さの低い）空間に球誘導部材１を配置することができる。
【００３７】
この発明は、以上の実施形態の内容に限定されるものではなく、請求項記載の範囲内において種々の変更が可能である。
たとえば、クルーン面１２に遊技球を導くための誘導路は、４つ（第１〜第４誘導路１３１〜１３４）に限らず、もっと少なくてもよいし、もっと多くてもよい。
クルーン面１２に形成された入球口６Ｌ〜６Ｒは、３つに限らず、もっと多くてもよいし、少なくてもよい。
【００３８】
表示装置２は、大当たり抽選の結果を表示するものに限らず、遊技内容に関する他の情報を表示するものであってもよい。
球誘導部材１は、表示装置２に備えられた構成に限らず、表示装置とは別個に設けられていてもよい。
球誘導部材１は、パチンコ機に限らず、遊技球を導入して遊技を行う他の遊技機（たとえば、スマートボール機など）にも適用可能である。
【図面の簡単な説明】
【図１】この発明の一実施形態に係る球誘導部材を備えた表示装置の外観構成を示す斜視図である。
【図２】球誘導部材を表示装置から取り外した状態を示す分解斜視図である。
【図３】球誘導部材の斜視図である。
【図４】球誘導部材の正面図である。
【符号の説明】
１  球誘導部材
６Ｌ〜６Ｈ  入球口
１２  クルーン面
１３１〜１３４  第１〜第４誘導路
１８Ｌ，１９Ｌ  最下点
１９Ｈ，２５Ｈ  最上点
２８  突起
【図１】
2004254959.tif 000003
【図２】
2004254959.tif 000004
【図３】
2004254959.tif 000005
【図４】
2004254959.tif 000006